(57)【要約】【課題】浮遊物の除去効率が高いと共に構造的に簡単であって扱い易く、製作も容易であって製作コストも低廉になし得る浮遊物除去装置を提供する。【解決手段】吸引パイプ１０と、該吸引パイプ１０に設けられ先端面が開放するドーム状の吸引カバー１１と、吸引カバー１１の内側に配置されると共に、吸引パイプ１０と連通しかつ前記先端開放面１１ａより内側に位置する密閉状の吸溜室１３及び先端が該先端開放面１１ａより外側に位置する密閉状のフロート室１４を有する中空体１２と、吸引パイプ１０に接続され減圧するパイプ内減圧手段とを備え、吸溜室１３の外周面に該吸溜室１３内と吸引カバー１１の中空部１９とを連通させる吸引口２０を開設してなり、中空体１２をその浮力により液面に浮かしたとき、吸引カバー１１の先端開放面１１ａと液面ＷＳとの間に浮遊物Ｆを吸引するための隙間Ｌを形成してなる。【選択図】図２
2009189979.tif 000002
【特許請求の範囲】
【請求項１】
液体の表面に浮かべ該液面に浮遊する浮遊物を吸引して除去する浮遊物除去装置であって、
吸引パイプと、
前記吸引パイプに設けられ先端面が開放するドーム状の吸引カバーと、
前記吸引カバーの内側に配置されると共に、前記吸引パイプと連通しかつ前記吸引カバーの先端開放面より内側に位置する密閉状の吸溜室及び先端が該先端開放面より外側に位置する密閉状のフロート室を有する中空体と、
前記吸引パイプに接続され該吸引パイプ内を減圧するパイプ内減圧手段とを備え、
前記吸溜室の外周面に該吸溜室内と前記吸引カバーの中空部とを連通させる吸引口を開設してなり、
前記中空体をその浮力により前記液面に浮かしたとき、前記吸引カバーの先端開放面と前記液面との間に一定の隙間を形成し、前記パイプ内減圧手段を作動させることにより、前記隙間から前記液面に浮遊する浮遊物を吸引すると共に前記吸引口を介して前記吸引パイプ内に吸い込むようにしたことを特徴とする浮遊物除去装置。
【発明の詳細な説明】
【技術分野】
【０００１】
本発明は、小型の水槽や浴槽といった所定大の水槽の液面に浮遊する浮遊物を吸引して除去する浮遊物除去装置に関するものである。
【背景技術】
【０００２】
一般に、水が貯溜された水槽の水面に浮遊している浮遊物を除去する浮遊物除去装置として、例えば特許文献１に示されるものがある。該浮遊物除去装置は、フロートと重錘とを設けた吸水箱を水面下に設け、この吸水箱とパイプ内減圧手段としての吸引ポンプとを浮遊物分離器を介して連結すると共に、吸水箱内にはフロートを設けた集塵筒を常態においてその上面開口部が水面近傍に位置して吸水箱に係止する構成からなる。そして、前記吸水箱を吸引することにより、集塵筒が沈降してその周辺の表面水を浮遊物と共に集水するようにしている。また、吸引を停止することにより集塵筒はフロートによって浮上し、水面下近傍に復帰するようになっている。
【０００３】
【特許文献１】特開平９−１５５３４０号公報（第２−３頁、図１）
【発明の開示】
【発明が解決しようとする課題】
【０００４】
しかしながら、前記特許文献１の浮遊物除去装置は、集塵筒の上面開口部が水面近傍に位置し吸水箱を吸引することによって集塵筒を沈降させ、その周辺の表面水を浮遊物と共に集水するようにしているので、浮遊物を吸引する際に多くの水も集水することになり、浮遊物を除去する除去効率が非常に低いという課題がある。また、吸水箱内に集水筒を係止し、しかも、これら吸水箱及び集水筒には外側に張り出させてフロートを設けるようにした構成からなるので、構造的に複雑となり、取り扱いが煩雑であるばかりか製作も面倒であって製作コストも高くなるという課題が有る。
【０００５】
そこで、本発明は上記課題を解決すべくなされたもので、浮遊物の除去効率が高いと共に構造的に簡単であって扱い易く、製作も容易であって製作コストも低廉になし得る浮遊物除去装置を提供することを目的とするものである。
【課題を解決するための手段】
【０００６】
かかる目的を達成するため、本発明に係る浮遊物除去装置は、液体の表面に浮かべ該液面に浮遊する浮遊物を吸引して除去する浮遊物除去装置であって、吸引パイプと、前記吸引パイプに設けられ先端面が開放するドーム状の吸引カバーと、前記吸引カバーの内側に配置されると共に、前記吸引パイプと連通しかつ前記吸引カバーの先端開放面より内側に位置する密閉状の吸溜室及び先端が該先端開放面より外側に位置する密閉状のフロート室を有する中空体と、前記吸引パイプに接続され該吸引パイプ内を減圧するパイプ内減圧手段とを備え、前記吸溜室の外周面に該吸溜室内と前記吸引カバーの中空部とを連通させる吸引口を開設してなり、前記中空体をその浮力により前記液面に浮かしたとき、前記吸引カバーの先端開放面と前記液面との間に一定の隙間を形成し、前記パイプ内減圧手段を作動させることにより、前記隙間から前記液面に浮遊する浮遊物を吸引すると共に前記吸引口を介して前記吸引パイプ内に吸い込むようにしたことを特徴とする。
【発明の効果】
【０００７】
本発明に係る浮遊物除去装置は、中空体をその浮力により液面に浮かせ、吸引カバーの先端開放面と液面との間に一定の隙間を形成し、パイプ内減圧手段を作動させることにより、前記隙間から液面に浮遊する浮遊物を吸引すると共に吸引口を介して吸引パイプ内に吸い込むようにし、液面の上方から該液面に浮遊する浮遊物を吸引するようにしている。よって、浮遊物の吸引時に多くの液体を吸引することがなく、これにより浮遊物の除去効率が高くなる。また、構造的に簡単であって扱い易く、製作も容易であって製作コストも低廉になし得るという有益な効果を奏する。
【発明を実施するための最良の形態】
【０００８】
以下、本発明に係る浮遊物除去装置の実施の形態を図面に基づき説明する。図１は本発明に係る浮遊物除去装置の使用状態を示す概略図、図２は浮遊物除去装置の要部断面図である。更に詳しく説明すると、ガソリンスタンドには、図１に示すように該ガソリンスタンドにて使用された洗浄水を浄化してから下水に流すように、該水を一旦貯留し、油と水とに分離させる油水分離槽Ａが設置されている。
【０００９】
前記油水分離槽Ａは、鉛直な複数の仕切壁２ａ〜２ｄにより３個の小型の水槽１ａ〜１ｃが連続して配置されている。その内、上流側の第一水槽１ａには、その一側の仕切壁２ａに集水管３が貫通して引き込まれ、該集水管３の吐出口４は液面である水面ＷＳよりも上方に位置している。また、第一水槽１ａと第二水槽１ｂとを仕切る仕切壁２ｂには、分離管５が貫設されている。
【００１０】
該分離管５は垂直管部５ａと水平管部５ｂとから逆Ｌ字状に配置され、垂直管部５ａが仕切壁２ｂに近接して位置し、その下端に取入口６が設けられている。この取入口６は、水面ＷＳから深い位置に設けられている。また、水平管部５ｂは、排出口７が第二水槽１ｂ内に介入している。これにより、第一水槽１ａと第二水槽１ｂとが連通する。
【００１１】
第二水槽１ｂ、第三水槽１ｃにも、第一水槽１ａと同様に分離管５が同じ側に配置され、第二水槽１ｂの水を第三水槽１ｃに送水するようにしている。また、第三水槽１ｃ内に配置される分離管５は、水平管部５ｂの出口側が下水（図示せず。）に連なるようになっている。第一水槽１ａ乃至第三水槽１ｃにおける各分離管５の水平管部５ｂの高さ位置は同じであり、第一水槽１ａの集水管３の高さ位置は、他の水平管部５ｂよりも高い位置に設定されている。
【００１２】
そこで、洗浄後の油やゴミが混ざった水が集水管３の吐出口４から第一水槽１ａ内に排出されて貯留される。ここで、水面ＷＳに油とその他の塵が浮遊物Ｆとして水面ＷＳに浮かんで堆積する。また、第一水槽１ａから溢れる水は、分離管５を介して第二水槽１ｂ内に排出されて貯留される。この第二水槽１ｂでも、同様に水面ＷＳに油とその他の塵が浮遊物Ｆとして水面ＷＳに浮かんで堆積する。第二水槽１ｂから溢れる水は、分離管５を介して第三水槽１ｃ内に排出されて貯留される。
【００１３】
第三水槽１ｃでも、同様に水面ＷＳに油とその他の塵が浮遊物Ｆとして水面ＷＳに浮かんで堆積する。ただ、各水槽１ａ〜１ｃでは、浮遊物Ｆの浮遊する量が第一水槽１ａから第三水槽１ｃに進むに従い少なくなる。このようにして、第一水槽１ａから第三水槽１ｃに水が運ばれる間に、各水層１ａ，１ｂ，１ｃで水が浄化され、浄化された水は最終的に第三水槽１ｃの分離管５を介して下水に排出されるようになっている。
【００１４】
次に、本発明に係る浮遊物除去装置Ｂについて説明する。図２に示すように該浮遊物除去装置Ｂは、吸引パイプ１０を有する。該吸引パイプ１０の先端側は、真直ぐな金属製のパイプにより形成されている。そして、その吸引パイプ１０の先端部に該吸引パイプ１０を中心とする円形ドーム状の吸引カバー１１が固着される。該吸引カバー１１も金属製であって、その先端面は開放されている。該吸引カバー１１を水面ＷＳの上方に配置したとき、前記先端開放面１１ａが水面ＷＳと対向位置して下側を向く。
【００１５】
前記吸引カバー１１内には、金属製の中空体１２が配置される。該中空体１２内に、前記吸引パイプ１０が串通される。もう少し詳しく説明すると、中空体１２は、吸引パイプ１０と連通しかつ吸引カバー１１の先端開放面１１ａより内側に位置する密閉状の吸溜室１３、及び先端が該先端開放面１１ａより外側に位置する密閉状のフロート室１４を有する。吸溜室１３とフロート室１４とは区画壁１５により区画され、前記吸引パイプ１０の先端がフロート室１４の底面中央に固着された保持筒１６により支持され、その上方の吸引パイプ１０が区画壁１５の中央に開設された通孔１７に挿通され、更に、吸引カバー１１の中央に開設された通孔１８に挿通されている。
【００１６】
前記中空体１２の吸溜室１３におけるフロート室１４とは反対側の周端縁は、吸引カバー１１の内周面に当接され溶接により固着されている。また、吸溜室１３におけるフロート室１４とは反対側の上面を閉止板１３ａにより塞いでいる。これにより、吸溜室１３の密閉性が保持されるようになっている。そして、該吸溜室１３の外周面に該吸溜室１３内と吸引カバー１１の中空部１９とを連通させる吸引口２０が開設される。また、吸引パイプ１０には、吸溜室１３内に対応位置して該吸溜室１３と連通する吸込口２１が開設されている。この場合、吸溜室１３におけるフロート室１４とは反対側の上面を閉止板１３ａにより塞いでいるが、吸溜室１３における前記同じ側の上端外周縁を吸引カバー１１の内周面に当接させ、その周囲を隙間無く溶接し密閉するようにすれば、閉止板１３ａを強いて設ける必要はない。
【００１７】
前記中空体１２はそのフロート室１４の先端が吸引カバー１１の先端開放面１１ａより所定寸法外側に位置するが、これは中空体１２を水面ＷＳに浮かべたとき、その浮力で浮き、吸引カバー１１の先端開放面１１ａと水面ＷＳとの隙間が２〜３ｃｍになるようにフロート室１４の容積が設定されている。例えば、吸引カバー１１の高さは１０ｃｍ、その直径は３０ｃｍ、また、中空体１２の高さは１８ｃｍ、その外径は１６ｃｍ、吸引パイプ１０の外径は５ｃｍである。なお、これら寸法は例示であって、これら寸法に限定されるものではない。
【００１８】
前記吸引パイプ１０の先端側にはボールコック（球型弁）２３が設けられ、これにより吸引量を調節できるようにしている。本発明では、吸引パイプ１０の基端を廃棄物処理車Ｃのタンク２２に連結している。このタンク２２は、内部にパイプ内減圧手段としてのブロアー２４が一体に組み込まれており、該ブロアー２４を作動させることによって吸引パイプ１０内が減圧され、該吸引パイプ１０の先端部から水面ＷＳに浮遊する浮遊物Ｆが吸引される。ボールコック２３からタンク２２までの間の吸引パイプ１０は、蛇腹状に形成され自在に屈曲できるようになっている。
【００１９】
そこで、水槽１の各第一水槽乃至第三水槽１ａ〜１ｃ内の浮遊物Ｆを吸引して除去するには、作業者が吸引パイプ１０の先端側を手で持って、その先端の中空体１２を水面ＷＳに浮かべる。この際、吸引カバー１１の先端開放面１１ａと水面ＷＳとの間の隙間Ｌは、２〜３ｃｍに設定される。この状態で、タンク２２のブロアー２４を作動させる。これにより、吸引パイプ１０内が減圧され、吸引カバー１１の先端開放面１１ａと水面ＷＳとの間の隙間Ｌから外部の空気が中空部１９内に吸引されると共に吸引口２０を介して吸溜室１３内に入り、更に、吸込口２１を介して吸引パイプ１０内に入る。
【００２０】
これに伴い、前記水面ＷＳに浮遊する油やゴミなどの浮遊物Ｆが、中空体１２の外周面に沿って引き上げられ、吸引口２０から吸溜室１３内に入り、更に、吸込口２１から吸引パイプ１０内に入って、タンク２２へ揚送される。この際、水も吸引口２０から吸溜室１３に入り、更には吸引パイプ１０を介してタンク２２内に貯留されるが、水面ＷＳに対し吸溜室１３の吸引口２０が離れた高い位置にあることから、吸引口２０から入る水の量が少なくて済み、浮遊物Ｆの除去効率が高い。このようにして、第一水槽１ａ内の水面ＷＳの浮遊物Ｆの除去が終われば、第二水槽１ｂの水面ＷＳに中空体１２を浮かせ同様に浮遊物Ｆを吸引して除去する。第三水槽１ｃについても同様にして作業を進める。
【００２１】
この場合は、他のガソリンスタンドでも浮遊物Ｆを回収するので、吸引パイプ１０を廃棄物処理車Ｃに搭載したタンク２２に接続したが、固定式にしようとすれば、前記水槽１の近くにブロアー２４を組み込んだタンク２２を据置するようにしても良い。
【００２２】
図３は、温泉の浴槽の水面ＷＳに浮遊する浮遊物を吸引して回収する場合を示すものである。なお、この実施の形態に使用される浮遊物除去装置Ｂ１は本発明の浮遊物除去装置Ｂとほとんど同じ構成からなるので、同一部位は同一番号を附すことにより、それら構成の詳しい説明は省略する。
【００２３】
図３において、２５は浴槽であって、その一側から該浴槽２５に常に湯水ＨＷが流れ込んでいる。また、浴槽２５の他側に浮遊物除去装置Ｂ１が配置される。すなわち、浴槽２５の縁に支持杆２６が立設される。該支持杆２６は、浴槽２５の水面ＷＳ上方に水平に位置する水平杆２６ａを有し、該水平杆２６ａの先端に上下端面が開放した円筒状の支持筒２７が取着される。この支持筒２７に吸引パイプ１０が挿通され、該吸引パイプ１０がほぼ鉛直方向に上下動自在に支持されることになる。
【００２４】
前記支持枠２６に近接させて予備タンク２８が配置されると共に、該予備タンク２８の一側にパイプ内減圧手段としてのブロアー３８を内蔵した主タンク２９が配置される。吸引パイプ１０の基端部が予備タンク２８に接続され、更に、該予備タンク２８と主タンク２９との間に挿通パイプ３０が連結されている。吸引パイプ１０の水平部位１０ａは、蛇腹状に形成され屈曲自在になっている。これは、吸引パイプ１０が支持枠２６の支持筒２７に支持されて上下動するからである。また、前記挿通パイプ３０も蛇腹状に形成されている。
【００２５】
予備タンク２８内には、その中に貯留される水に浮く浮き子３１が設けられる。該浮き子３１は、予備タンク２８の内周壁に上下動自在に軸着される腕杆３２の先端に設けられ、水の水位の上下動に伴い上下動する。また、腕杆３２に、上方を向くと共に予備タンク２８の上部内周面に設けられた挿通パイプ３０の入口３０ａを開閉する開閉弁３３が設けられる。そして、水位が所定の限度（水が吸引パイプ１０内を逆流しない範囲）を越えると、浮き子３１と共に上昇した開閉弁３３が、挿通パイプ３０の入口３０ａを塞ぎ、それ以上予備タンク２８内の空気を吸引できないようにしている。これにより、吸引パイプ１０による浮遊物Ｆの吸引動作が停止する。この場合は、予備タンク２８の下部一側に設けた水抜き口３４のバルブ３５を開いて、予備タンク２８内に貯留される水を排出する。同様に、主タンク２９の下部一側にもバルブ３７を備えた水抜き口３６が設けられ、該バルブ３７を開くことにより、主タンク２９内の水を排出できるようになっている。
【００２６】
そこで、中空体１２を水面ＷＳに浮かせた状態では、図２と同様に吸引カバー１１の先端開放面１１ａと水面ＷＳとの間の隙間Ｌが、２〜３ｃｍに設定される。よって、この状態で主タンク２９のブロアー３８を作動させれば、吸引パイプ１０内が減圧され、吸引カバー１１の先端開放面１１ａと水面ＷＳとの間の隙間Ｌから外部の空気が中空部１９内に吸引されると共に吸引口２０を介して吸溜室１３内に入り、更に、吸込口２１を介して吸引パイプ１０内に入る。
【００２７】
これによって、前記水面ＷＳに浮遊する髪の毛や垢などの浮遊物Ｆが中空体１２の外周面に沿って引き上げられ、吸引口２１から吸溜室１３内に入り、更に、吸込口２１から吸引パイプ１０内に入って、予備タンク２８へ送られる。更には、主タンク２９内に送られる。この際、同時に少量の湯も吸引することになるので、それらも予備タンク２８に貯留される。また、この場合、水面ＷＳが上下動したとしても、中空体１２が常にその浮力により浮いているので、水面ＷＳの上下動に対し中空体１２がその上下動に追随して上下動することになり、吸引カバー１１の先端開放面１１ａと水面ＷＳとの間の隙間Ｌが、大きく狂うことが無い。
【００２８】
よって、例えば中空体１２を水面ＷＳに浮かせておき、ブロアー３８を作動させておけば、その間、常に浴槽２５の水面ＷＳに浮遊する浮遊物Ｆを自動的に除去することができ、浴槽２５の水を常に綺麗に保つことができる。
【００２９】
以上のように、前記両浮遊物除去装置Ｂ，Ｂ１は、中空体１２をその浮力により水面ＷＳに浮かせ、吸引カバー１１の先端開放面１１ａと水面ＷＳとの間に一定の隙間Ｌが形成されるようにしている。そして、ブロアー２４，３８を駆動させることにより、前記隙間Ｌから水面ＷＳに浮遊する浮遊物Ｆを吸引すると共に吸引口２０を介して吸引パイプ１０内に吸い込むようにしている。
【００３０】
本発明では、特に中空体１２の吸溜室１３を吸引カバー１１内であってその先端開放面１１ａから離した位置に設けるようにしており、同様に吸引口２０も先端開放面１１ａから離れた位置に設けられることになる。よって、中空体１２を水面ＷＳに浮かせた場合、吸引口２０が水面ＷＳから上方へ離れた位置に設けられることになるので、吸引口２０から浮遊物Ｆと共に多くの水を吸引して取り入れることがなく、これにより浮遊物Ｆの除去効率が高められる。また、浮遊物除去装置Ｂ，Ｂ１は、吸引カバー１１内に中空体１２が配置されコンパクトに形成されており、しかも、吸引パイプ１０の先端部は軽く軽量であって構成も簡単であることから、扱い易く、製作も容易である。
【００３１】
なお、本発明では、ガソリンスタンドに設置される小型の水槽、温泉の浴槽に浮遊物除去装置を設置した実施の形態を示したが、他に例えば一般の公衆浴場の浴槽であっても良く、また、液体としては水以外に他の液体でも良い。
【図面の簡単な説明】
【００３２】
【図１】本発明に係る浮遊物除去装置の使用状態を示す概略図。
【図２】浮遊物除去装置の要部断面図。
【図３】他の場所に設置された浮遊物除去装置の使用状態を示す概略図。
【符号の説明】
【００３３】
１０            吸引パイプ
１１            吸引カバー
１１ａ          先端開放面
１２            中空体
１３            吸溜室
１４            フロート室
２０            吸引口
２４            パイプ内減圧手段（ブロアー）
３８            パイプ内減圧手段（ブロアー）
Ｂ              浮遊物除去装置
Ｂ１            浮遊物除去装置
Ｆ              浮遊物
ＷＳ            液面（水面）
【図１】
2009189979.tif 000003
【図２】
2009189979.tif 000004
【図３】
2009189979.tif 000005